(57)【要約】      （修正有）【課題】複写条件を編集する際の操作性を向上させることができる複写装置及び複写システムを提供する。【解決手段】ＭＦＰ２と端末装置とが通信ネットワークを介して互いに接続される。第１複写条件編集部１３が、ユーザの編集操作に基づいて、複写条件を編集する。この複写条件に基づいて、複写処理部１４が原稿の複写を行う。また、第１複写条件送信部１６が、複写の実行に基づいて、複写に用いられた複写条件を端末装置へ送信する。更に、複写条件保持部１８が、端末装置から受信した複写条件を保持し、複写処理部１４が、複写条件保持部１８内の複写条件に基づいて、原稿の複写を行う。【選択図】図２
2012222759.tif 000002
【特許請求の範囲】
【請求項１】
通信ネットワークを介して互いに接続された複写装置及び端末装置からなる複写システムにおいて、
上記複写装置は、
ユーザの編集操作に基づいて、複写条件を編集する第１複写条件編集手段と、
上記複写条件に基づいて、原稿の複写を行う複写処理手段と、
複写の実行に基づいて、複写に用いられた上記複写条件を上記端末装置へ送信する第１複写条件送信手段と、
上記端末装置から受信した上記複写条件を保持する複写条件保持手段とを備え、
上記複写処理手段が、上記複写条件保持手段内の上記複写条件に基づいて、原稿の複写を行い、
上記端末装置は、
上記複写装置から受信した上記複写条件を編集する第２複写条件編集手段と、
第２複写条件編集手段により編集された上記複写条件を上記複写装置へ送信する第２複写条件送信手段とを備えることを特徴とする複写システム。
【請求項２】
上記複写条件が２以上の詳細条件からなり、
第２複写条件編集手段が、上記複写条件のいずれかの上記詳細条件について、第１複写条件編集手段による入力を促すための予約状態とすることを特徴とする請求項１に記載の複写システム。
【請求項３】
上記複写装置が、上記複写条件保持手段内の上記複写条件のいずれかを選択する複写条件選択手段を備え、
上記複写処理手段が、選択された上記複写条件に基づいて、原稿の複写を行い、
上記複写条件選択手段が予約状態とされた上記詳細条件を含む上記複写条件を選択した場合に、上記複写処理手段が、予約状態とされた上記詳細条件が入力されるまで、原稿の複写を行わないことを特徴とする請求項２の複写システム。
【請求項４】
上記複写条件保持手段が、上記複写条件をユーザに対応づけて保持し、
上記複写装置が、ユーザを指定するユーザ指定手段を備え、
上記複写条件選択手段が、指定されたユーザに対応づけられた上記複写条件を選択することを特徴とする請求項３に記載の複写システム。
【請求項５】
上記複写装置が、複写の実行に基づいて、上記端末装置へ編集要求通知を送信する通知送信手段を備え、
上記端末装置が、上記編集要求通知に基づいて、応答信号を送信する応答信号送信手段を備え、
第１複写条件送信手段が、上記応答信号に基づいて、複写に用いられた上記複写条件を上記端末装置へ送信することを特徴とする請求項１に記載の複写システム。
【請求項６】
第１及び第２複写条件送信手段が、ＰＪＬ形式の上記複写条件を送信することを特徴とする請求項１に記載の複写システム。
【請求項７】
ユーザの編集操作に基づいて、複写条件を編集する複写条件編集手段と、
上記複写条件に基づいて、原稿の複写を行う複写処理手段と、
複写の実行に基づいて、複写に用いられた上記複写条件を端末装置へ送信する複写条件送信手段と、
上記端末装置から受信した上記複写条件を保持する複写条件保持手段とを備え、
上記複写処理手段が、上記複写条件保持手段内の上記複写条件に基づいて、原稿の複写を行うことを特徴とする複写装置。
【請求項８】
原稿を光学的に読み取り、画像データを生成する原稿読取手段と、
ユーザの編集操作に基づいて、複写条件を編集する複写条件編集手段と、
上記複写条件に基づいて、上記画像データを印刷する印刷手段と、
印刷の実行に基づいて、印刷に用いられた上記複写条件及び上記画像データを端末装置へ送信するプリントデータ送信手段と、
上記端末装置から上記複写条件及び上記画像データを受信するプリントデータ受信手段とを備え、
上記印刷手段が、上記端末装置から受信した上記複写条件に基づいて、受信した上記画像データを再印刷することを特徴とする複写装置。
【請求項９】
通信ネットワークを介して互いに接続された複写装置及び端末装置からなる複写システムにおいて、
上記複写装置は、
原稿を光学的に読み取り、画像データを生成する原稿読取手段と、
ユーザの編集操作に基づいて、複写条件を編集する複写条件編集手段と、
上記複写条件に基づいて、上記画像データを印刷する印刷手段と、
印刷の実行に基づいて、上記端末装置へ完了通知を送信する通知送信手段と、
上記端末装置からの取得要求に基づいて、印刷に用いられた上記複写条件及び上記画像データを上記端末装置へ送信するプリントデータ送信手段と、
上記端末装置から上記複写条件及び上記画像データを受信するプリントデータ受信手段とを備え、
上記印刷手段が、上記端末装置から受信した上記複写条件に基づいて、受信した上記画像データを再印刷し、
上記端末装置は、
上記完了通知に基づいて、上記取得要求を上記複写装置へ送信する取得要求送信手段と、
上記複写装置から受信した上記複写条件及び上記画像データを保持するプリントデータ履歴保持手段と、
上記プリントデータ履歴保持手段内の上記複写条件及び上記画像データを上記複写装置へ送信し、当該複写条件を用いた当該画像データの印刷を促す再印刷制御手段とを備えることを特徴とする複写システム。
【請求項１０】
上記プリントデータ送信手段が、ＰＪＬ形式の上記複写条件と、Ｍｕｌｔｉ−ＴＩＦＦ形式又はＰＤＦ形式の上記画像データとを上記端末装置へ送信することを特徴とする請求項９に記載の複写システム。
【発明の詳細な説明】
【技術分野】
【０００１】
本発明は、複写システム及び複写装置に係り、さらに詳しくは、複写条件に基づいて、原稿の複写を行う複写システムの改良に関する。
【背景技術】
【０００２】
複写装置では、原稿サイズ、用紙サイズ、部数などの詳細条件からなる複写条件をユーザが指定することにより、原稿の複写が行われる。この複写条件を予め指定することにより、原稿を複写する際の複写条件の指定操作を簡略化することができる。
【０００３】
また、特許文献１には、原稿の複写が行われる度に、複写に用いられた複写条件及び画像データをコピーサーバに送信する複写装置が記載されている。この複写装置では、ユーザから電子メールにより再印刷要求を受信した場合、コピーサーバから複写条件及び画像データを受信することにより、画像データの再印刷が行われる。
【先行技術文献】
【特許文献】
【０００４】
【特許文献１】特開２００４−１０２５４９号公報
【発明の概要】
【発明が解決しようとする課題】
【０００５】
近年、複写装置の高機能化が進み、複写条件に含まれる詳細条件の数が増加している。しかしながら、複写装置の表示画面は小さいため、多数の詳細条件を編集する場合の操作性が悪く、例えば、多数の詳細条件を同時に閲覧することができないという問題があった。
【０００６】
本発明は、上記事情に鑑みてなされたものであり、複写条件を編集する際の操作性を向上させることができる複写装置と、当該複写装置を含む複写システムを提供することを目的とする。
【課題を解決するための手段】
【０００７】
第１の本発明による複写システムは、通信ネットワークを介して互いに接続された複写装置及び端末装置からなる複写システムにおいて、上記複写装置が、ユーザの編集操作に基づいて、複写条件を編集する第１複写条件編集手段と、上記複写条件に基づいて、原稿の複写を行う複写処理手段と、複写の実行に基づいて、複写に用いられた上記複写条件を上記端末装置へ送信する第１複写条件送信手段と、上記端末装置から受信した上記複写条件を保持する複写条件保持手段とを備え、上記複写処理手段が、上記複写条件保持手段内の上記複写条件に基づいて、原稿の複写を行い、上記端末装置が、上記複写装置から受信した上記複写条件を編集する第２複写条件編集手段と、第２複写条件編集手段により編集された上記複写条件を上記複写装置へ送信する第２複写条件送信手段とを備えるように構成される。
【０００８】
この様な構成によれば、端末装置において編集した複写条件を複写装置へ送信し、当該複写条件に基づく複写を行うことができる。このため、複写装置において複写条件を編集する場合に比べて、編集操作の操作性を向上させることができる。また、複写装置において複写に用いられた複写条件を端末装置へ送信し、当該複写条件を編集することにより、端末装置における編集操作を簡略化することができる。また、編集後の複写条件が複写装置の複写条件保持手段内に保持されるので、例えば、端末装置に電源が投入されていない状態であっても編集後の複写条件に基づく複写を行うことができ、利便性が高い。
【０００９】
第２の本発明による複写システムは、上記構成に加え、上記複写条件が２以上の詳細条件からなり、第２複写条件編集手段が、上記複写条件のいずれかの上記詳細条件について、第１複写条件編集手段による入力を促すための予約状態とするように構成される。
【００１０】
この様な構成によれば、原稿の複写を行う度に変更される可能性が高い詳細条件について、原稿の複写を行う前にユーザによる変更を促すことができる。このため、多数の複写条件を予め保持する必要がない。また、ユーザが詳細条件を変更し忘れることを抑制することができる。
【００１１】
第３の本発明による複写システムは、上記構成に加え、上記複写装置が、上記複写条件保持手段内の上記複写条件のいずれかを選択する複写条件選択手段を備え、上記複写処理手段が、選択された上記複写条件に基づいて、原稿の複写を行い、上記複写条件選択手段が予約状態とされた上記詳細条件を含む上記複写条件を選択した場合に、上記複写処理手段が、予約状態とされた上記詳細条件が入力されるまで、原稿の複写を行わないように構成される。
【００１２】
この様な構成によれば、予約状態とされた詳細条件の指定が行われる前に、誤って原稿の複写が行われることを抑制することができる。
【００１３】
第４の本発明による複写システムは、上記構成に加え、上記複写条件保持手段が、上記複写条件をユーザに対応づけて保持し、上記複写装置が、ユーザを指定するユーザ指定手段を備え、上記複写条件選択手段が、指定されたユーザに対応づけられた上記複写条件を選択するように構成される。
【００１４】
この様な構成によれば、ユーザに対応づけられた複写条件が選択されるので、各ユーザの複写装置の利用傾向に応じた複写条件を選択することができる。
【００１５】
第５の本発明による複写システムは、上記構成に加え、上記複写装置が、複写の実行に基づいて、上記端末装置へ編集要求通知を送信する通知送信手段を備え、上記端末装置が、上記編集要求通知に基づいて、応答信号を送信する応答信号送信手段を備え、第１複写条件送信手段が、上記応答信号に基づいて、複写に用いられた上記複写条件を上記端末装置へ送信するように構成される。
【００１６】
この様な構成によれば、端末装置へ編集要求通知が送信され、編集要求通知に対する応答信号に基づいて、複写条件が送信される。このため、端末装置が複写条件を受信可能な状態であることを確認した後に複写条件を送信することができる。
【００１７】
第６の本発明による複写システムは、上記構成に加え、第１及び第２複写条件送信手段が、ＰＪＬ形式の上記複写条件を送信するように構成される。
【００１８】
第７の本発明による複写装置は、ユーザの編集操作に基づいて、複写条件を編集する複写条件編集手段と、上記複写条件に基づいて、原稿の複写を行う複写処理手段と、複写の実行に基づいて、複写に用いられた上記複写条件を端末装置へ送信する複写条件送信手段と、上記端末装置から受信した上記複写条件を保持する複写条件保持手段とを備え、上記複写処理手段が、上記複写条件保持手段内の上記複写条件に基づいて、原稿の複写を行うように構成される。
【００１９】
この様な構成によれば、端末装置において編集した複写条件を複写装置へ送信し、当該複写条件に基づく複写を行うことができる。このため、複写装置において複写条件を編集する場合に比べて、編集操作の操作性を向上させることができる。また、複写装置において複写に用いられた複写条件を端末装置へ送信し、当該複写条件を編集することにより、端末装置における編集操作を簡略化することができる。また、編集後の複写条件が複写装置の複写条件保持手段内に保持されるので、例えば、端末装置に電源が投入されていない状態であっても編集後の複写条件に基づく複写を行うことができ、利便性が高い。
【００２０】
第８の本発明による複写装置は、原稿を光学的に読み取り、画像データを生成する原稿読取手段と、ユーザの編集操作に基づいて、複写条件を編集する複写条件編集手段と、上記複写条件に基づいて、上記画像データを印刷する印刷手段と、印刷の実行に基づいて、印刷に用いられた上記複写条件及び上記画像データを端末装置へ送信するプリントデータ送信手段と、上記端末装置から上記複写条件及び上記画像データを受信するプリントデータ受信手段とを備え、上記印刷手段が、上記端末装置から受信した上記複写条件に基づいて、受信した上記画像データを再印刷するように構成される。
【００２１】
この様な構成によれば、原稿の複写が行われた複写条件を編集し、編集後の複写条件に基づいて、この原稿の再印刷を行うことができる。しかも、端末装置により複写条件を編集することができるので、複写条件を編集する際の操作性を向上させることができる。
【００２２】
第９の本発明による複写システムは、通信ネットワークを介して互いに接続された複写装置及び端末装置からなる複写システムにおいて、上記複写装置が、原稿を光学的に読み取り、画像データを生成する原稿読取手段と、ユーザの編集操作に基づいて、複写条件を編集する複写条件編集手段と、上記複写条件に基づいて、上記画像データを印刷する印刷手段と、印刷の実行に基づいて、上記端末装置へ完了通知を送信する通知送信手段と、上記端末装置からの取得要求に基づいて、印刷に用いられた上記複写条件及び上記画像データを上記端末装置へ送信するプリントデータ送信手段と、上記端末装置から上記複写条件及び上記画像データを受信するプリントデータ受信手段とを備え、上記印刷手段が、上記端末装置から受信した上記複写条件に基づいて、受信した上記画像データを再印刷し、上記端末装置が、上記完了通知に基づいて、上記取得要求を上記複写装置へ送信する取得要求送信手段と、上記複写装置から受信した上記複写条件及び上記画像データを保持するプリントデータ履歴保持手段と、上記プリントデータ履歴保持手段内の上記複写条件及び上記画像データを上記複写装置へ送信し、当該複写条件を用いた当該画像データの印刷を促す再印刷制御手段とを備えるように構成される。
【００２３】
この様な構成によれば、原稿の複写が行われた複写条件及び画像データを端末装置内に保持し、この画像データの再印刷を行うことができる。また、端末装置へ完了通知が送信され、完了通知に対する取得要求に基づいて、複写条件及び画像データが送信される。このため、端末装置が受信可能な状態であることを確認した後に複写条件及び画像データを送信することができる。
【００２４】
第１０の本発明による複写システムは、上記構成に加え、上記プリントデータ送信手段が、ＰＪＬ形式の上記複写条件と、Ｍｕｌｔｉ−ＴＩＦＦ形式又はＰＤＦ形式の上記画像データとを上記端末装置へ送信するように構成される。
【発明の効果】
【００２５】
本発明による複写システム及び複写装置は、端末装置において編集した複写条件を複写装置へ送信し、当該複写条件に基づく複写を行うことができる。このため、複写装置において複写条件を編集する場合に比べて、編集操作の操作性を向上させることができる。また、複写装置において複写に用いられた複写条件を端末装置へ送信し、当該複写条件を編集することにより、端末装置における編集操作を簡略化することができる。また、編集後の複写条件が複写装置の複写条件保持手段内に保持されるので、例えば、端末装置に電源が投入されていない状態であっても編集後の複写条件に基づく複写を行うことができ、利便性が高い。
【００２６】
また、原稿の複写が行われた複写条件を編集し、編集後の複写条件に基づいて、この原稿の再印刷を行うことができる。しかも、端末装置により複写条件を編集することができるので、複写条件を編集する際の操作性を向上させることができる。
【図面の簡単な説明】
【００２７】
【図１】本発明の実施の形態１による複写システム１の一構成例を示したシステム図である。
【図２】図１のＭＦＰ２の構成例を示したブロック図である。
【図３】図１の端末装置３の構成例を示したブロック図である。
【図４】図１の端末装置３の動作の一例を示した図であり、コピーアイコン３２が表示されたデスクトップ画面３１が示されている。
【図５】図１の端末装置３の動作の一例を示した図であり、複写履歴画面３３が示されている。
【図６】図１の端末装置３の動作の一例を示した図であり、複写条件編集画面４１が示されている。
【図７】図１のＭＦＰ２の動作の一例を示した図であり、ユーザ選択画面７１が示されている。
【図８】図１のＭＦＰ２の動作の一例を示した図であり、応用コピー選択画面７５が示されている。
【図９】図１のＭＦＰ２における複写処理時の動作を示したフローチャートである。
【図１０】図１の端末装置３における編集要求通知の受信時の動作の一例を示したフローチャートである。
【図１１】図１のＭＦＰ２における複写条件受信時の動作の一例を示したフローチャートである。
【図１２】図１のＭＦＰ２における複写条件保持部１８内の複写条件を用いた複写処理時の動作の一例を示したフローチャートである。
【図１３】図１のＭＦＰ２における複写条件保持部１８内の複写条件を用いた複写処理時の動作の一例を示したフローチャートである。
【図１４】図１の端末装置３における完了通知受信時の動作の一例を示したフローチャートである。
【図１５】本実施の形態によるＭＦＰ２の構成例を示したブロック図である。
【図１６】本実施の形態による端末装置３の構成例を示したブロック図である。
【図１７】図１６の端末装置３におけるプリントデータ再印刷処理の一例を示したフローチャートである。
【発明を実施するための形態】
【００２８】
実施の形態１．
＜複写システム＞
図１は、本発明の実施の形態１による複写システム１の一構成例を示したシステム図であり、原稿の複写を行う複写装置の一例としてＭＦＰ（Multifunction  Peripheral：複合機）２が示されている。複写システム１は、複数のＭＦＰ２及び複数の端末装置３がＬＡＮ４を介する通信ネットワークによって互いに接続された通信システムである。
【００２９】
ＭＦＰ２は、複写機能、スキャナ機能、プリンタ機能、ＦＡＸ（ファクシミリ）機能、電子メールの送受信機能を有し、これらの機能を選択的に実行させることができる画像処理装置である。このＭＦＰ２は、原稿の複写を行う際、ＭＦＰ２又は端末装置３により編集された複写条件に基づいて、原稿の複写を行う。
【００３０】
複写条件は、ＭＦＰ２による複写処理を行うための２以上の詳細条件からなる。詳細条件は、例えば、複写の部数、両面コピーの有無、原稿サイズなどを指定している。
【００３１】
ＭＦＰ２は、タッチパネル１３１と、キー入力部１３２とを備える。タッチパネル１３１は、メニュー画面などを表示するためのディスプレイからなる表示手段であり、動作状態、処理内容などが表示面上に表示される。また、このタッチパネル１３１には、表示面に対する操作を検出するセンサが設けられており、操作位置を検出することにより、操作位置に応じた入力処理が行われる。キー入力部１３２は、例えば、原稿の複写を開始させるためのスタートキー、番号入力のための数字キーなどを備えている。
【００３２】
端末装置３は、ＭＦＰ２から受信した複写条件を編集する情報処理装置であり、ＬＡＮ４を介して編集後の複写条件をＭＦＰ２へ送信する動作を行う。この端末装置３には、ディスプレイ１１１及び操作部１１２が設けられている。
【００３３】
この複写システム１では、端末装置３により編集された複写条件に基づいて、原稿の複写が行われる。このため、複写条件を編集する際の操作性を向上させることができる。
【００３４】
＜ＭＦＰ＞
図２は、図１のＭＦＰ２の構成例を示したブロック図である。ＭＦＰ２は、ユーザ指定部１１、複写条件選択部１２、第１複写条件編集部１３、複写処理部１４、通知送信部１５、第１複写条件送信部１６、第１複写条件受信部１７、複写条件保持部１８、予約状態報知部１９及びアイコン表示制御部２０により構成される。
【００３５】
ユーザ指定部１１は、ユーザを指定する動作を行っている。具体的には、ユーザの操作入力に基づいて、複写条件保持部１８に保持されている２以上のユーザの識別情報から、いずれかのユーザに対応する識別情報を指定する動作を行っている。例えば、識別情報としてユーザ名が指定される。
【００３６】
複写条件選択部１２は、複写条件保持部１８内に保持される複写条件のいずれかを選択する動作を行う。複写条件は、２以上の詳細条件からなる。この詳細条件は、例えば、複写の部数、両面コピーの有無などを指定している。ここでは、複写条件選択部１２が、指定されたユーザに対応づけられた複写条件を選択するものとする。
【００３７】
第１複写条件編集部１３は、ユーザの編集操作に基づいて、複写条件を編集する動作を行う。具体的には、初期状態の複写条件を取得し、この複写条件の各詳細条件をそれぞれ指定することにより、任意の複写条件を生成している。また、初期状態の複写条件の代わりに、複写条件選択部１２により選択された複写条件を編集する動作も行っている。特に、選択された複写条件が、第１複写条件編集部１３による入力を促すための予約状態の詳細条件を含む場合、この詳細条件の入力を行う。
【００３８】
予約状態とは、例えば、詳細条件が指定されていない状態、あるいは、無効な値が指定されている状態を指す。具体的には、複写の部数を示す詳細条件に「０（ゼロ）」を指定した場合、あるいは、用紙サイズを示す詳細条件に「マニュアル」を指定した場合、これらの詳細条件がそれぞれ予約状態となる。この場合、第１複写条件編集部１３により、有効値が指定される。例えば、用紙サイズを示す詳細条件として「Ａ４」が指定される。
【００３９】
複写処理部１４は、複写条件に基づいて、原稿の複写を行う。具体的には、第１複写条件編集部１３により編集された複写条件を取得し、この複写条件に含まれる詳細条件に基づいて、原稿の複写を行う。
【００４０】
また、複写処理部１４は、複写条件選択部１２により選択された複写条件に基づいて、原稿の複写を行う。このとき、複写条件選択部１２が、予約状態とされた詳細条件を含む複写条件を選択した場合、予約状態とされた詳細条件には無効な値が指定されているため、この複写条件を用いて原稿を複写することはできない。このため、複写処理部１４は、予約状態とされた詳細条件が入力されるまで、原稿の複写を行わない。
【００４１】
この複写処理部１４は、原稿読取部１４１と、印刷部１４２とからなる。原稿読取部１４１は、原稿を光学的に読み取り、画像データを生成する動作を行っている。ここでは、原稿読取部１４１は、複写条件に基づいて、原稿の読み取りを行っており、例えば、原稿サイズを示す詳細条件に基づいて、原稿の読み取りを行う。印刷部１４２は、複写条件に基づいて、原稿読取部１４１により生成された画像データを印刷する動作を行う。
【００４２】
通知送信部１５は、複写の実行に基づいて、端末装置３へ編集要求通知又は完了通知を送信する動作を行う。編集要求通知は、端末装置３による複写条件の編集を促すための信号であり、完了通知は、複写が完了したことを示す信号である。具体的には、初期状態の複写条件が編集された場合には、この複写条件を用いた複写の完了後に、編集要求通知が端末装置３へ送信される。一方、複写条件保持部１８内の複写条件が編集された場合には、この複写条件を用いた複写の完了後に、完了通知が端末装置３へ送信される。
【００４３】
第１複写条件送信部１６は、複写の実行に基づいて、複写に用いられた複写条件を端末装置３へ送信する動作を行う。より詳しくは、編集要求通知又は完了通知が端末装置３へ送信された後、これらの通知に応答して端末装置３から送信される応答信号に基づいて、複写条件を送信している。例えば、編集要求通知又は完了通知が送信された後、一定期間内に応答信号を受信すれば、複写条件が端末装置３へ送信される。一方、編集要求通知又は完了通知が送信された後、一定期間内に応答信号を受信しなければ、複写条件の送信は行われない。ここでは、第１複写条件送信部１６が、複写条件に加えて、ユーザ指定部１１により指定されたユーザの識別情報を送信するものとする。また、第１複写条件送信部１６が、例えば、複写条件をＰＪＬ（Print Job Language）形式に変換し、変換後の複写条件を端末装置３へ送信する構成であってもよい。
【００４４】
第１複写条件受信部１７は、端末装置３から複写条件を受信する動作を行う。より詳しくは、端末装置３により編集された複写条件を受信している。ここでは、複写条件に加えて、ユーザの識別情報を受信するものとする。
【００４５】
複写条件保持部１８は、第１複写条件受信部１７が受信した複写条件を保持する記憶手段である。具体的には、ユーザに対応づけて複写条件を保持しており、２以上のユーザの識別情報と複写条件とが対応づけられて保持されている。
【００４６】
予約状態報知部１９は、予約状態の詳細条件を含む複写条件が複写条件選択部１２により選択された場合に、予約状態の詳細条件を第１複写条件編集部１３により指定することを促すための報知を行う。例えば、詳細条件の入力をユーザに促すメッセージをタッチパネル１３１上に表示している。また、詳細条件の入力をユーザに促すメッセージを音声出力する構成、あるいは、予約状態の詳細条件を他の詳細条件とは異なる色により表示する構成であってもよい。
【００４７】
アイコン表示制御部２０は、複写条件保持部１８内のいずれかの複写条件をユーザが選択するためのアイコンをタッチパネル１３１上に表示するための制御信号を生成する。例えば、ユーザ指定部１１によりユーザが指定された場合に、指定されたユーザに対応する複写条件のアイコンが一覧表示される。このアイコンの選択操作が行われれば、複写条件選択部１２が、対応する複写条件を選択する動作を行う。
【００４８】
この様な構成を採用すれば、端末装置３において編集した複写条件をＭＦＰ２へ送信し、当該複写条件に基づく複写を行うことができる。このため、ＭＦＰ２において複写条件を編集する場合に比べて、編集操作の操作性を向上させることができる。また、ＭＦＰ２において複写に用いられた複写条件を端末装置３へ送信し、当該複写条件を編集するので、端末装置３における編集操作を簡略化することができる。また、編集後の複写条件がＭＦＰ２の複写条件保持部１８内に保持されるので、例えば、端末装置３に電源が投入されていない状態であっても編集後の複写条件に基づく複写を行うことができ、利便性が高い。
【００４９】
＜端末装置＞
図３は、図１の端末装置３の構成例を示したブロック図である。端末装置３は、応答信号送信部２１、第２複写条件受信部２２、複写条件履歴保持部２３、第２複写条件編集部２４及び第２複写条件送信部２５により構成される。
【００５０】
応答信号送信部２１は、ＭＦＰ２の通知送信部１５から編集要求通知又は完了通知を受信している。また、これらの通知を受信したことに基づいて、ＭＦＰ２へ応答信号を送信する動作を行う。
【００５１】
第２複写条件受信部２２は、ＭＦＰ２の第１複写条件送信部１６から複写条件を受信し、複写条件履歴保持部２３に格納する動作を行う。ここでは、第１複写条件送信部１６から送信されるユーザの識別情報と複写条件とを対応づけて格納するものとする。
【００５２】
複写条件履歴保持部２３は、第２複写条件受信部２２が受信した複写情報を保持している。具体的には、第１複写条件送信部１６から送信されるユーザの識別情報と複写条件とを対応づけて保持している。また、第２複写条件編集部２４により複写条件が編集された場合、編集後の複写条件を保持している。
【００５３】
第２複写条件編集部２４は、複写条件履歴保持部２３内の複写条件を編集する動作を行う。例えば、ユーザの操作入力に基づいて、複写条件を編集している。ここでは、複写条件のいずれかの詳細条件が、第１複写条件編集部１３による入力を促すための予約状態となるように、複写条件を編集するものとする。また、編集後の複写条件を複写条件履歴保持部２３内に格納するとともに、この複写条件を第２複写条件送信部２５へ送信する動作を行う。
【００５４】
第２複写条件送信部２５は、第２複写条件編集部２４により編集された複写条件をＭＦＰ２へ送信する。例えば、ＰＪＬ形式の複写条件を送信するものとする。第２複写条件送信部２５は、編集された複写条件に加えて、この複写条件に対応づけられたユーザの識別情報をＭＦＰ２へ送信する。また、この複写条件をユーザが選択するためのアイコンデータを送信する構成であってもよい。
【００５５】
この様な構成を採用することにより、端末装置３へ編集要求通知が送信され、第１複写条件送信部１６が、編集要求通知に対する応答信号に基づいて、複写条件を送信する動作を行う。このため、端末装置３が複写条件を受信可能な状態であることを確認した後に複写条件を送信することができる。
【００５６】
図４は、図１の端末装置３の動作の一例を示した図であり、コピーアイコン３２が表示されたデスクトップ画面３１が示されている。コピーアイコン３２は、複写条件を編集又は閲覧するためのアイコンであり、ＭＦＰ２から複写条件を受信した後にデスクトップ画面３１上に表示される。カーソルをコピーアイコン３２の位置に合わせて所定のキー操作を行うことにより、コピーアイコン３２が選択され、複写履歴を一覧表示する複写履歴画面が表示される。
【００５７】
図５は、図１の端末装置３の動作の一例を示した図であり、複写履歴画面３３が示されている。この複写履歴画面３３は、図４のコピーアイコン３２の選択操作に基づいて表示される。
【００５８】
この複写履歴画面３３では、ＭＦＰ２から受信した複写履歴が一覧表示されており、複写履歴ごとに、識別ＩＤ、部数、複写の実行日時が表示されている。また、複写履歴ごとに表示アイコン３４が配置されており、この表示アイコン３４を選択すれば、その複写に用いられた複写条件を編集するための複写条件編集画面が表示される。
【００５９】
この例では、識別ＩＤ「Ｔ．Ｍｕｒａｔａ．＃１１０」の複写履歴は、部数「３」、及び、複写の実行日時「２０１０／０９／２５  １２：１５」からなる。また、識別ＩＤ「Ｈ．Ｓｕｚｕｋｉ．＃１１１」の複写履歴は、部数「５」、及び、複写の実行日時「２０１０／０９／２５  １２：１７」からなる。
【００６０】
図６は、図１の端末装置３の動作の一例を示した図であり、複写条件編集画面４１が示されている。この複写条件編集画面４１は、複写条件を編集するための画面であり、図５の表示アイコン３４の選択操作に基づいて表示される。
【００６１】
また、複写条件編集画面４１には、複写条件の各詳細条件を変更するための表示欄が示されている。この例では、「ソート」欄６１、「部数」欄６２、「両面」欄６３、「エコノミー」欄６４、「原稿サイズ」欄６５、「用紙サイズ」欄６６、「クロスソート」欄６７、「Ｎｉｎ１」欄６８の各表示欄が示されている。また、設定アイコン６９及び中断アイコン７０が配置されている。
【００６２】
「ソート」欄６１は、複写後の用紙を部ごとに分けて出力するソート機能の実行の有無を指定するための欄であり、ソート機能の実行の有無を指定するための一対のラジオボタンＡ１，Ａ２が配置されている。ここでは、ソート機能を無効にするためのラジオボタンＡ２が選択されている。この場合、ソート機能は無効になる。一方、ソート機能を有効にするためのラジオボタンＡ１を選択すれば、ソート機能は有効になる。
【００６３】
「部数」欄６２は、複写の部数を指定するための欄であり、ここでは、部数として番号「０（ゼロ）」が入力ボックスＡ３内に入力されている。この場合、有効な値が入力されていないので、部数を示す詳細条件は予約状態となる。入力ボックスＡ３内に複写の部数を入力することにより、部数を示す詳細条件が指定される。
【００６４】
「両面」欄６３は、両面コピーの実行の有無を指定するための欄であり、両面コピー機能の実行の有無を指定するための一対のラジオボタンが配置されている。「エコノミー」欄６４は、複写時に画像のインク濃度を低下させてインク消費量を節約するエコノミー機能の実行の有無を指定するための欄であり、エコノミー機能の実行の有無を指定するための一対のラジオボタンが配置されている。
【００６５】
「原稿サイズ」欄６５は、原稿サイズを指定するための欄であり、ここでは、原稿サイズとして文字列「Ｍａｎｕａｌ」が入力ボックス内に入力されている。原稿サイズとして文字列「Ｍａｎｕａｌ」が指定された場合、原稿サイズを示す詳細条件は予約状態となる。
【００６６】
「用紙サイズ」欄６６は、用紙サイズを指定するための欄であり、ここでは、用紙サイズとして「Ａ４」が入力ボックス内に入力されている。「クロスソート」欄６７は、原稿を一部複写するごとに用紙を９０度回転させて出力するクロスソート機能の実行の有無を指定するための欄であり、クロスソート機能の実行の有無を指定するための一対のラジオボタンが配置されている。
【００６７】
「Ｎｉｎ１」欄６８は、２以上の原稿を縮小して１枚の用紙に複写する集約機能を指定するための欄である。「Ｎｉｎ１」欄６８には、集約機能を無効にするためのラジオボタンＡ４、原稿を２枚ごとに１枚の用紙に複写させるためのラジオボタンＡ５、原稿を４枚ごとに１枚の用紙に複写させるためのラジオボタンＡ６、及び、原稿を８枚ごとに１枚の容易に複写させるためのラジオボタンＡ７が配置されており、いずれかのラジオボタンが択一的に選択される。ここでは、集約機能を無効にするためのラジオボタンＡ４が選択されている。
【００６８】
また、設定アイコン６９を選択すれば、ユーザによる変更内容が反映され、各詳細条件がその時点で複写条件編集画面４１に表示されている内容で複写条件履歴保持部２３内に格納される。また、この複写条件がＭＦＰ２へ送信される。一方、中断アイコン７０を選択すれば、ユーザによる修正内容は反映されず、処理が中断されて複写条件編集画面４１の表示が終了する。
【００６９】
図７は、図１のＭＦＰ２の動作の一例を示した図であり、ユーザ選択画面７１が示されている。このユーザ選択画面７１は、ＭＦＰ２のユーザを選択するための画面であり、コピー機能が選択された場合に表示される。ユーザ選択画面７１は、ユーザ選択欄７２及び決定アイコン７３からなる。ユーザ選択欄７２は、ＭＦＰ２のユーザを選択するための欄であり、ユーザＢ１、ユーザＢ２、ユーザＢ３を選択するためのラジオボタンＡ１，Ａ２，Ａ３がそれぞれ配置されている。また、ユーザを指定せずにコピー機能を実行するためのラジオボタンＡ４が配置されている。これらのラジオボタンＡ１〜Ａ４は、択一的に選択され、いずれかのラジオボタンを選択することにより対応するユーザが選択される。この例では、ユーザＢ２を選択するためのラジオボタンＡ２が選択されている。また、決定アイコン７３を選択すれば、その時点で選択されているユーザがユーザ指定部１１により指定されるとともに、複写条件の選択画面が表示される。
【００７０】
図８は、図１のＭＦＰ２の動作の一例を示した図であり、応用コピー選択画面７５が示されている。この応用コピー選択画面７５は、複写条件を選択するための画面であり、図７の決定アイコン７３の選択操作に基づいて表示される。この例では、ユーザ選択画面７１においてユーザＢ１が選択された場合の応用コピー選択画面７５が示されている。
【００７１】
応用コピー選択画面７５には、「コピー」アイコン７６、「応用コピー＃１」アイコン７７、「応用コピー＃２」アイコン７８及び「応用コピー＃３」アイコン７９が配置される。「コピー」アイコン７６は、初期状態の複写条件を選択するためのアイコンである。「応用コピー＃１」アイコン７７、「応用コピー＃２」アイコン７８、「応用コピー＃３」アイコン７９は、いずれもユーザＢ１に対応づけられた複写条件を選択するためのアイコンであり、それぞれ異なる複写条件に対応づけられている。いずれかのアイコン７６〜７９を選択した状態で所定のキー操作を行うことにより、対応する複写条件を用いた原稿の複写が開始される。
【００７２】
図９のステップＳ１０１〜Ｓ１０９は、図１のＭＦＰ２における複写処理時の動作を示したフローチャートである。まず、ユーザにより複写の開始が指示された場合に、ユーザ指定部１１によりユーザの指定が行われたか否かを判定する（ステップＳ１０１）。ユーザが指定されていない場合、初期状態の複写条件を用いて原稿の複写が行われ、処理を終了する（ステップＳ１０８）。ユーザが指定されている場合、複写条件選択部１２が、複写条件保持部１８内に保持される複写条件のうち、いずれかの複写条件を選択し、複写処理部１４により原稿の複写が行われる（ステップＳ１０２，Ｓ１０３）。次に、複写に用いられた複写条件を端末装置３へ送信するか否かの判定が行われる（ステップＳ１０４）。複写条件を送信する旨を指示するユーザ操作が行われていない場合は、処理を終了する。
【００７３】
一方、複写条件を送信する旨を指示するユーザ操作が行われた場合、通知送信部１５が、編集要求通知を端末装置３へ送信する（ステップＳ１０５）。通信ネットワーク上に複数の端末装置３がＬＡＮを介して接続されている場合には、予め定められた端末装置３へ編集要求通知が送信される。次に、端末装置３から応答信号が一定期間内に受信されたか否かを判定する（ステップＳ１０６）。端末装置３から編集要求通知に応答する応答信号を一定期間内に受信した場合、第１複写条件送信部１６は、複写に用いられた複写条件と、ユーザ指定部１１により指定されたユーザの識別情報とを端末装置３へ送信し、処理を終了する（ステップＳ１０７）。一方、端末装置３から編集要求通知に応答する応答信号を一定期間内に受信しなかった場合、タッチパネル１３１上に複写条件の送信に失敗した旨を表示し、処理を終了する（ステップＳ１０９）。
【００７４】
図１０のステップＳ２０１〜Ｓ２０９は、図１の端末装置３における編集要求通知の受信時の動作の一例を示したフローチャートである。編集要求通知は、ＭＦＰ２の通知送信部１５により送信される（図９のステップＳ１０５）。
【００７５】
まず、端末装置３の応答信号送信部２１が、編集要求通知に応答する応答信号をＭＦＰ２へ送信する（ステップＳ２０１）。次に、第２複写条件受信部２２が、ＭＦＰ２から複写条件を受信すると、複写条件を受信した旨を示す照会画面がディスプレイ１１１上に表示される（ステップＳ２０２，Ｓ２０３）。この照会画面上で複写条件を編集することを指示するユーザ操作が行われたか否かを判定する（ステップＳ２０４）。複写条件を編集することを指示するユーザ操作が行われなければ、複写条件を編集又は閲覧するためのコピーアイコン３２がデスクトップ画面３１上に表示され、ステップＳ２０６へ移る（ステップＳ２０９）。
【００７６】
一方、照会画面上で複写条件を編集することを指示するユーザ操作が行われた場合、第２複写条件編集部２４が、ユーザ操作に基づいて、複写条件を編集する（ステップＳ２０５）。複写条件の編集後、ＭＦＰ２との通信用に複写条件の識別ＩＤが生成され（ステップＳ２０６）、この識別ＩＤ及び複写条件が複写条件履歴保持部２３に格納される（ステップＳ２０７）。また、第２複写条件送信部２５が、編集後の複写条件、識別ＩＤ、及び、複写条件に対応づけられたユーザの識別情報をＭＦＰ２へ送信し、処理を終了する（ステップＳ２０８）。複写条件等の送信は、ＨＴＴＰ（Hyper Text Transport Protocol）のプロトコルにより行われる。
【００７７】
図１１のステップＳ３０１〜Ｓ３０２は、図１のＭＦＰ２における複写条件受信時の動作の一例を示したフローチャートである。複写条件は、端末装置３の第２複写条件送信部２５により送信される（図１０のステップＳ２０８）。
【００７８】
まず、第１複写条件受信部１７が、端末装置３により編集された複写条件、識別ＩＤ及びユーザの識別情報を受信する（ステップＳ３０１）。更に、第１複写条件受信部１７が、受信した複写条件、識別ＩＤ、及び、送信元の端末装置３のＩＰアドレスをユーザの識別情報に対応づけて複写条件保持部１８に格納し、処理を終了する（ステップＳ３０２）。
【００７９】
図１２及び図１３のステップＳ４０１〜Ｓ４１４は、図１のＭＦＰ２における複写条件保持部１８内の複写条件を用いた複写処理時の動作の一例を示したフローチャートである。ユーザ指定部１１が、ユーザの操作入力に基づいて、いずれかのユーザを指定する（ステップＳ４０１）。次に、アイコン表示制御部２０が生成した制御信号に基づいて、指定されたユーザに対応づけられた複写条件のアイコンがタッチパネル１３１上に表示される（ステップＳ４０２）。更に、複写条件選択部１２が、ユーザのアイコン選択操作に基づいて、いずれかの複写条件を選択する（ステップＳ４０３）。
【００８０】
更に、選択された複写条件に予約状態の詳細条件が含まれているか否かの判定が、予約状態報知部１９により行われる（ステップＳ４０４）。選択された複写条件が、予約状態の詳細条件を含まない場合、ステップＳ４０７に移る。一方、選択された複写条件が、予約状態の詳細条件を含む場合、予約状態報知部１９が、詳細条件の入力をユーザに促すメッセージをタッチパネル１３１上に表示し、第１複写条件編集部１３が、ユーザの操作入力に基づいて、この詳細条件の入力を行う（ステップＳ４０５，Ｓ４０６）。また、ユーザにより複写開始を指示するキー操作が行われれば、第１複写条件編集部１３による編集後の複写条件に基づいて、原稿の複写が行われる（ステップＳ４０７）。
【００８１】
更に、通知送信部１５が、複写履歴を端末装置３へ送信する旨のユーザ指示が行われているか否かを判定する（ステップＳ４０８）。複写履歴を端末装置３へ送信する旨のユーザ指示が行われていない場合には、処理を終了する。
【００８２】
一方、複写履歴を端末装置３へ送信する旨のユーザ指示が行われている場合には、第１複写条件送信部１６が、複写に用いられた複写条件をＰＪＬ形式に変換する。また、複写に用いられた画像データをＴｉｆｆ（Tag Image File Format）フォーマットのマルチページファイル（Ｍｕｌｔｉ−ＴＩＦＦ）形式に変換する（ステップＳ４０９）。更に、複写履歴に対応するジョブＩＤが、端末装置３との通信用に生成される（ステップＳ４１０）。また、通知送信部１５が、複写が完了したことを示す完了通知を端末装置３へ送信する（ステップＳ４１１）。
【００８３】
更に、第１複写条件送信部１６が、この完了通知に応答する応答信号を端末装置３から受信すると、第１複写条件送信部１６が、ジョブＩＤ、複写の実行日時、変換後の複写条件及び画像データを端末装置３へ送信する（ステップＳ４１２，４１３）。また、第１複写条件送信部１６が、変換後の複写条件及び画像データを削除し、処理を終了する（ステップＳ４１４）。
【００８４】
図１４のステップＳ５０１〜Ｓ５０３は、図１の端末装置３における完了通知受信時の動作の一例を示したフローチャートである。完了通知は、ＭＦＰの通知送信部１５により送信される（図１３のステップＳ４１１）。
【００８５】
まず、端末装置３の応答信号送信部２１が、完了通知に応答する応答信号をＭＦＰ２へ送信する（ステップＳ５０１）。次に、第２複写条件受信部２２が、ジョブＩＤ、複写の実行日時、複写に用いられた複写条件及び画像データを受信し、それぞれジョブＩＤに対応づけて複写条件履歴保持部２３内に格納する（ステップＳ５０２，Ｓ５０３）。
【００８６】
本実施の形態によれば、ユーザに対応づけられた複写条件が複写条件選択部１２により選択されるので、各ユーザの複写装置の利用傾向に応じた複写条件を選択することができる。
【００８７】
また、原稿の複写を行う度に変更される可能性が高い詳細条件について、予約状態報知部１９が、原稿の複写を行う前にユーザによる変更を促すことができる。このため、多数の複写条件を予め保持する必要がない。また、ユーザが詳細条件を変更し忘れることを抑制することができる。
【００８８】
更に、複写処理部１４が、予約状態とされた詳細条件が指定されるまで、原稿の複写を行わないので、予約状態とされた詳細条件の指定が行われる前に、誤って原稿の複写が行われることを抑制することができる。
【００８９】
実施の形態２．
実施の形態１では、端末装置３により編集された複写条件を用いて原稿の複写が行われる場合の例について説明した。これに対し、本実施の形態では、複写に用いられた画像データと端末装置３により編集された複写条件とを用いて画像データの再印刷が行われる場合の例について説明する。本実施の形態の複写システム１は、実施の形態１と同様に、複数のＭＦＰ２及び複数の端末装置３がＬＡＮ４を介する通信ネットワークによって互いに接続された通信システムである。
【００９０】
図１５は、本実施の形態によるＭＦＰ２の構成例を示したブロック図である。このＭＦＰ２は、ユーザ指定部１１、第１複写条件編集部１３、複写処理部１４、通知送信部１５、ユーザ情報記憶部８０、プリントデータ送信部８１及び第１プリントデータ受信部８２により構成される。図２と同一の構成については、同一の符号を付して説明を省略する。
【００９１】
ユーザ指定部１１は、ユーザを指定する動作を行っている。具体的には、ユーザの操作入力に基づいて、ユーザ情報記憶部８０に保持されている２以上のユーザの識別情報から、いずれかのユーザに対応する識別情報を指定する動作を行っている。例えば、識別情報としてユーザ名が指定される。ユーザ情報記憶部８０は、２以上のユーザの識別情報を保持する記憶手段である。
【００９２】
第１複写条件編集部１３は、ユーザの編集操作に基づいて、複写条件を編集する動作を行う。このＭＦＰ２は、図２のＭＦＰ２と異なり、複写条件保持部１８を備えていない。このため、第１複写条件編集部１３は、初期状態の複写条件を編集する動作を行う。
【００９３】
プリントデータ送信部８１は、印刷に用いられた複写条件及び画像データからなるプリントデータを生成する動作を行う。例えば、ＰＪＬ形式の複写条件と、Ｍｕｌｔｉ−Ｔｉｆｆ形式又はＰＤＦ（Portable Document Format）形式の画像データとからなるプリントデータを生成する。また、印刷部１４２による印刷の実行に基づいて、このプリントデータを端末装置３へ送信する。より詳しくは、完了通知に応答して端末装置３から送信される取得要求に基づいて、プリントデータを応答データとして端末装置３へ送信する。この取得要求は、印刷に用いられた複写条件及び画像データからなるプリントデータを要求する信号である。例えば、完了通知が送信された後、一定期間内に取得要求を受信すれば、プリントデータが端末装置３へ送信される。一方、一定期間内に取得要求を受信しなければ、プリントデータの送信が行われない。ここでは、複写条件に加えて、ユーザ指定部１１により指定されたユーザの識別情報が送信されるものとする。
【００９４】
第１プリントデータ受信部８２は、端末装置３からプリントデータを受信する動作を行う。ここでは、プリントデータとともに、プリントデータに含まれる画像データを再印刷することを指示する制御信号を受信するものとする。
【００９５】
印刷部１４２は、複写条件に基づいて、画像データを印刷する。具体的には、第１複写条件編集部１３により編集された複写条件に基づいて、原稿読取部１４１により読み取られた画像データを印刷する動作を行う。
【００９６】
また、端末装置３から受信したプリントデータを用いて画像データの再印刷を行う。すなわち、端末装置３から受信した複写条件に基づいて、受信した画像データを再印刷している。ここでは、端末装置３から受信した制御信号に基づいて、画像データを再印刷するものとする。
【００９７】
通知送信部１５は、印刷部１４２による印刷の実行に基づいて、端末装置３へ完了通知を送信する動作を行っている。より詳しくは、印刷の完了後に完了通知を送信する。
【００９８】
図１６は、本実施の形態による端末装置３の構成例を示したブロック図である。端末装置３は、第２複写条件編集部２４、取得要求送信部９０、第２プリントデータ受信部９１、プリントデータ履歴保持部９２及び再印刷制御部９３により構成される。図２と同一の構成については、同一の符号を付して説明を省略する。
【００９９】
取得要求送信部９０は、ＭＦＰ２の通知送信部１５から完了通知を受信する通信手段である。また、この完了通知に基づいて、印刷に用いられたプリントデータの取得要求をＭＦＰ２へ送信する動作を行う。
【０１００】
第２プリントデータ受信部９１は、ＭＦＰ２からプリントデータを受信し、プリントデータ履歴保持部９２に格納する動作を行う。ここでは、ＭＦＰ２から受信したユーザの識別情報とプリントデータとを対応づけて格納するものとする。
【０１０１】
プリントデータ履歴保持部９２は、ＭＦＰ２から受信したプリントデータを保持している。具体的には、ＭＦＰ２から受信したユーザの識別情報と複写条件とを対応づけて保持している。また、プリントデータに含まれる複写条件が第２複写条件編集部２４により編集された場合、編集後の複写条件を含むプリントデータが保持される。
【０１０２】
第２複写条件編集部２４は、プリントデータ履歴保持部９２内のプリントデータに含まれる複写条件を編集する動作を行う。例えば、ユーザの操作入力に基づいて、複写条件を編集している。
【０１０３】
再印刷制御部９３は、プリントデータ履歴保持部９２内のプリントデータをＭＦＰ２へ送信するとともに、このプリントデータ内の複写条件を用いて当該プリントデータ内の画像データを再印刷することを促す制御信号をＭＦＰ２へ出力する動作を行う。例えば、ユーザの操作入力に基づいて、プリントデータ履歴保持部９２内のいずれかのプリントデータを選択し、ＭＦＰ２へ送信する動作を行う。
【０１０４】
図１７のステップＳ６０１〜Ｓ６０６は、図１６の端末装置３におけるプリントデータ再印刷処理の一例を示したフローチャートである。まず、ＭＦＰ２から取得したプリントデータの履歴が一覧表示される（ステップＳ６０１）。次に、第２複写条件編集部２４が、プリントデータに含まれる複写条件の編集指示が行われたか否かを判定する（ステップＳ６０２）。複写条件の編集がユーザにより指示されれば、第２複写条件編集部２４により複写条件の編集が行われ、編集後の複写条件を含むプリントデータがプリントデータ履歴保持部９２内に格納される（ステップＳ６０３，Ｓ６０４）。一方、複写条件の編集指示が行われなければ、ステップＳ６０５に移る。
【０１０５】
また、再印刷制御部９３が、プリントデータ履歴保持部９２内のプリントデータを用いた再印刷がユーザにより指示されたか否かの判定を行う（ステップＳ６０５）。いずれかのプリントデータを用いた再印刷が指示されれば、再印刷制御部９３が、指定されたプリントデータ及び再印刷を指示する制御信号をＭＦＰ２へ送信し、処理を終了する（ステップＳ６０６）。プリントデータを送信する際、第２複写条件編集部２４により複写条件が編集されていれば、編集後の複写条件を含むプリントデータが送信される。ステップＳ６０５の判定において、再印刷が指示されていない場合、ステップＳ６０２に戻る。
【０１０６】
本実施の形態によれば、原稿の複写が行われた複写条件を編集し、編集後の複写条件に基づいて、印刷部１４２により、この原稿の再印刷を行うことができる。しかも、端末装置３の第２複写条件編集部２４により複写条件を編集することができるので、複写条件を編集する際の操作性を向上させることができる。
【０１０７】
また、本実施の形態によれば、原稿の複写が行われた複写条件及び画像データを端末装置３内に保持し、この画像データの再印刷を行うことができる。また、通知送信部１５が、端末装置３へ完了通知を送信し、プリントデータ送信部８１が、完了通知に対する取得要求に基づいて、複写条件及び画像データを送信する。このため、端末装置３が受信可能な状態であることを確認した後に複写条件及び画像データを送信することができる。
【０１０８】
なお、実施の形態１及び２では、編集要求通知又は完了通知が送信された後、一定期間内に応答信号又は取得要求を受信すれば、複写条件が端末装置３へ送信され、一定期間内に応答信号又は取得要求を受信しなければ、複写条件を送信しない場合の例について説明した。しかしながら、本発明は、編集要求通知又は完了通知を１回のみ送信する構成に限定されない。例えば、編集要求通知又は完了通知が一定期間ごとに送信され、これらの通知に対する応答信号又は取得要求を受信すれば、複写条件を送信する構成であっても良い。
【符号の説明】
【０１０９】
１    複写システム
３    端末装置
１１    ユーザ指定部
１２    複写条件選択部
１３    第１複写条件編集部
１４    複写処理部
１５    通知送信部
１６    第１複写条件送信部
１７    第１複写条件受信部
１８    複写条件保持部
１９    予約状態報知部
２０    アイコン表示制御部
２１    応答信号送信部
２２    第２複写条件受信部
２３    複写条件履歴保持部
２４    第２複写条件編集部
２５    第２複写条件送信部
４１    複写条件編集画面
８０    ユーザ情報記憶部
８１    プリントデータ送信部
８２    第１プリントデータ受信部
９０    取得要求送信部
９１    第２プリントデータ受信部
９２    プリントデータ履歴保持部
９３    再印刷制御部
１１２    操作部
１３１    タッチパネル
１３２    キー入力部
１４１    原稿読取部
１４２    印刷部
【図１】
2012222759.tif 000003
【図２】
2012222759.tif 000004
【図３】
2012222759.tif 000005
【図４】
2012222759.tif 000006
【図５】
2012222759.tif 000007
【図６】
2012222759.tif 000008
【図７】
2012222759.tif 000009
【図８】
2012222759.tif 000010
【図９】
2012222759.tif 000011
【図１０】
2012222759.tif 000012
【図１１】
2012222759.tif 000013
【図１２】
2012222759.tif 000014
【図１３】
2012222759.tif 000015
【図１４】
2012222759.tif 000016
【図１５】
2012222759.tif 000017
【図１６】
2012222759.tif 000018
【図１７】
2012222759.tif 000019